(57)【要約】【課題】貯留槽１６内の製氷用水を給水管路２１の先端側の散水パイプ１３ａから製氷面１２ａ，１２ｂに噴出し、同製氷面を流下する製氷用水を漸次氷結するとともに、未氷結の製氷用水を貯留槽内に還流させる製氷装置において、製氷運転では、塩分濃度が均一の製氷用水を供給し得るようにし、洗浄運転では、製氷用水より多くの洗浄用水を製氷面に噴出して付着塩分を確実に洗い流すようにする。【解決手段】給水管路２１の途中から分岐して貯留槽１６内の底部に至るバイパス管路２３を設け、製氷運転時には、給水管路２１を通して製氷面の供給される製氷用水の一部を貯留槽１６内に還流して貯留槽１６内の製氷用水を撹拌する。また、洗浄運転では、バイパス管路２３を閉鎖して、貯留槽１６内の洗浄用水を、製氷用水より多量にかつ強い勢いで製氷面に噴出させる。【選択図】  図１
2005345067.tif 000002
【特許請求の範囲】
【請求項１】
製氷面を有する製氷部と、製氷用水を収容する貯留槽と、同貯留槽内の製氷用水を前記製氷部に供給する給水管路を備え、製氷運転時、前記貯留槽内の製氷用水を前記給水管路の先端側の散水手段から前記製氷部の製氷面に散水して同製氷面を流下させ、流下する製氷用水を漸次氷結するとともに、未氷結の製氷用水を前記貯留槽内に還流させる製氷装置であって、前記製氷用水として塩水を採用する製氷装置であり、当該製氷装置は、前記給水管路の途中から分岐して前記貯留槽内に至るバイパス管路を備え、製氷運転時には、前記給水管路を通して前記製氷部の供給する製氷用水の一部を前記バイパス管路を通して前記貯留槽内に常時還流させることを特徴とする製氷装置。
【請求項２】
製氷面を有する製氷部と、製氷用水を収容する貯留槽と、同貯留槽内の製氷用水を前記製氷部に供給する給水管路を備え、製氷運転時、前記貯留槽内の製氷用水を前記給水管路の先端側の散水手段から前記製氷部の製氷面に散水して同製氷面を流下させ、流下する製氷用水を漸次氷結するとともに、未氷結の製氷用水を前記貯留槽に還流させる製氷装置であって、前記製氷用水として塩水を採用する製氷装置であり、当該製氷装置は、前記給水管路の途中から分岐して前記貯留槽内の底部に至るバイパス管路を備えるとともに同バイパス管路の途中に開閉弁を備え、前記製氷部の洗浄時には、前記バイパス管路を閉鎖した状態で、前記貯留槽内に前記製氷用水と置換して収容した洗浄用水を、前記給水管路を通して前記製氷部に供給することを特徴とする製氷装置。
【発明の詳細な説明】
【技術分野】
【０００１】
本発明は、塩水を製氷用水とする製氷装置に関する。
【背景技術】
【０００２】
製氷装置の一形式として、流下式の製氷装置のごとく、製氷面を有する製氷部と、製氷用水を収容する貯留槽と、同貯留槽内の製氷用水を前記製氷部に供給する給水管路を備え、製氷運転時、前記貯留槽内の製氷用水を前記給水管路の先端側の散水手段から前記製氷部の製氷面に散水して同製氷面を流下させ、流下する製氷用水を漸次氷結するとともに、未氷結の製氷用水を前記貯留槽内に還流させる形式の製氷装置である。
【０００３】
当該形式の製氷装置は、貯留槽内の製氷用水を製氷部に循環供給し、製氷部の製氷面上に製氷用水を順次氷結して所定形状で所定厚みの板状氷を生成する製氷工程と、製氷部の製氷面上に生成された板状氷を製氷面から離脱させる氷離脱工程を製氷運転の１サイクルとするもので、通常の製氷運転では、１サイクルの製氷運転を所定回数繰り返し行う方式を採っている。
【０００４】
当該形式の製氷装置の製氷運転では、製氷用水として、各種の無機塩の水溶液や殺菌した海水等の塩水を採用する場合がある。この場合の製氷運転では、１サイクルの製氷運転を複数回繰り返し行った後に、製氷部等を真水等の洗浄用水で洗浄して、製氷部の製氷面等に付着する塩分を洗い流す洗浄手段が採られる（特許文献１を参照）。
【特許文献１】特開２００４−８５０５４号公報
【発明の開示】
【発明が解決しようとする課題】
【０００５】
ところで、当該形式の製氷装置においては、塩水を製氷用水とする製氷運転では、１サイクルの製氷運転の終了時には、製氷用水の消費量に応じた量の製氷用水が貯留槽内に補充される。この場合、１サイクルの製氷運転では、還流する製氷用水の塩分濃度が漸次高くなることから、製氷運転中の貯留槽内に残留している製氷用水は塩分濃度が局部的に高くなって塩分濃度に斑が生じ、この斑は製氷工程の経過時間とともに酷くなり、製氷工程終了した時点は、貯留槽内の製氷用水は、設定されている塩分濃度よりかなり高い塩分濃度となる。
【０００６】
このため、製氷運転中の製氷部には、塩分濃度が局部的に高い斑のある製氷用水が供給されることになり、塩分濃度の斑が大きくなるほど、製氷部の製氷面での氷結状態が不揃いになる等の悪影響を及ぼすことになる。
【０００７】
また、このように塩分濃度が高い製氷用水が収容されている貯留槽内に、消費量に応じた量の製氷用水を補充すると、貯留槽内では、残留している製氷用水が貯留槽の底部側で位置して塩分濃度が高い領域を形成し、補充した製氷用水は貯留槽の上側に位置して塩分濃度が低い領域を形成する。
【０００８】
このため、製氷運転の再開時には、このような状態にある貯留槽内の製氷用水を製氷部に供給することになって、製氷工程の初期には、設定されている塩分濃度よりかなり高い塩分濃度の製氷用水が製氷部に供給されることになる。発明者等は、この状態では、製氷面に生成される氷結初期の氷は製氷面から剥離し易く、氷結状態にも悪影響を及ぼしていることを確認している。
【０００９】
一方、当該形式の製氷装置において、製氷運転終了後に製氷部を洗浄する洗浄運転では、洗浄用水の給水に、製氷装置が有する製氷用水の循環供給手段を利用する。製氷装置における製氷部を洗浄するに際しては、貯留槽内に残留する製氷用水を真水等の洗浄用水に置換し、貯留槽内の洗浄用水を製氷用水と同様に給水管路を通して製氷部に供給し、洗浄用水を給水管路の先端側の散水手段から製氷面に散水する手段が採られる。当該洗浄手段では、製氷面に散布された洗浄用水は製氷面上では、製氷工程での製氷用水と同程度に拡がることになる。製氷工程で製氷面に付着する塩分等は、製氷用水が拡がった最端の周縁部で最も多く、当該洗浄手段では、最も多量に付着している周縁部の塩分等を十分には洗い流すことはできない。このため、塩分付着に起因する製氷部等での早期の腐食の発生は避けられない。
【００１０】
また、当該形式の製氷装置においては、製氷運転時の製氷工程では、散水手段として散水パイプを使用する場合には、散水パイプに設けた噴射口は製氷用水中の塩分により目詰まりし易く、製氷部の洗浄時には、多くの噴射口における目詰まりを確実に解消することが必要である。しかしながら、当該洗浄手段では、洗浄用水は製氷用水と同等の水量で同等の強さで散水パイプの噴射口に供給されることから、数多い噴射口の目詰まりの全てを確実に解消することはできない。
【００１１】
従って、本発明の目的は、製氷運転における上記した問題、および、洗浄運転における上記した問題の一方または両方を解消することにある。
【課題を解決するための手段】
【００１２】
本発明は、製氷装置に関する。本発明は、製氷面を有する製氷部と、製氷用水を収容する貯留槽と、同貯留槽内の製氷用水を前記製氷部に供給する給水管路を備え、製氷運転時、前記貯留槽内の製氷用水を前記給水管路の先端側の散水手段から前記製氷部の製氷面に散水して同製氷面を流下させ、流下する製氷用水を漸次氷結するとともに、未氷結の製氷用水を前記貯留槽内に還流させる形式の製氷装置を適用対象とする。
【００１３】
しかして、本発明に係る第１の製氷装置は塩水を製氷用水とするもので、前記給水管路の途中から分岐して前記貯留槽内に至るバイパス管路を備え、製氷運転時には、前記給水管路を通して前記製氷部の供給する製氷用水の一部を前記バイパス管路を通して前記貯留槽内に常時還流させることを特徴とするものである。
【００１４】
また、本発明に係る第２の製氷装置は塩水を製氷用水とするもので、前記給水管路の途中から分岐して前記貯留槽内に至るバイパス管路を備えるとともに同バイパス管路の途中に開閉弁を備え、前記製氷部の洗浄時には、前記バイパス管路を閉鎖した状態で、前記貯留槽内に残留する前記製氷用水と置換して収容した洗浄用水を、前記給水管路を通して前記製氷部に供給することを特徴とするものである。
【発明の効果】
【００１５】
本発明に係る第１の製氷装置によれば、製氷運転の製氷工程中、貯留槽内から製氷部に供給される製氷用水の一部が貯留槽内に常時還流する。この還流は、貯留槽内の製氷用水の一部が給水管路およびバイパス管路を通って常時循環する状態を形成し、この循環流によって、貯留槽内に残留している製氷用水を略均一に撹拌する。このため、製氷運転中の製氷工程では、製氷部には、塩分濃度が局部的に斑のない均一な製氷用水を供給することができ、塩分濃度の斑に起因する製氷面での氷結状態の局部的な不揃いを防止することができる。
【００１６】
また、１サイクルの製氷運転終了時に、製氷用水が残留している貯留槽内に消費量に応じた量の製氷用水を補充して、製氷運転を再開した場合には、製氷運転の再開と同時に、貯留槽内の製氷用水の一部が給水管路およびバイパス管路を通って常時循環する循環流が形成され、この循環流によって、貯留槽内の製氷用水が略均一に撹拌される。
【００１７】
このため、製氷運転の再開時の製氷工程初期から、設定された略一定の塩分濃度の製氷用水を製氷部に供給することができ、氷結初期における氷の製氷面からの剥離現象を防止することができ、かつ、氷結状態に対する悪影響を防止することができる。
【００１８】
本発明に係る第１の製氷装置においては、製氷用水の循環流による貯留槽内の製氷用水の撹拌を一層良好にするには、バイパス管路を貯留槽内の底部に臨ませることが好ましい。
【００１９】
また、本発明に係る第２の製氷装置によれば、製氷部への洗浄用水の供給はバイパス管路を閉鎖した状態で、貯留槽内から給水管路内に導入された洗浄用水の全てを、還流させることなく給水する手段を採っているため、散水手段から製氷面に対して、製氷用水に比較して強い勢いで多量に噴出させることができる。これにより、洗浄用水の製氷面での拡がりは製氷用水の拡がりに比較して拡大し、製氷面に付着している塩分等を確実に洗い流すことができる。
【００２０】
当該製氷装置において、製氷用水の散水手段として散水パイプを採用する場合には、洗浄用水は散水パイプの噴射口からの勢いよく噴出することから、数多い噴射口の全ての目詰まりを略確実に解消させることができるという利点がある。この場合、洗浄洗浄に先だって、製氷用水の散水パイプに替えて、洗浄用水が製氷面上で的確に拡がるように設定されている洗浄用水専用の散水パイプを採用することもできる。散水パイプの交換手段を採れば、製氷用水専用の散水パイプを、製氷用水の給水管路の先端部から取外した状態で、別途、十分に洗浄することができるという利点がある。
【発明を実施するための最良の形態】
【００２１】
本発明は、製氷装置に関する。図１には、本発明に係る製氷装置の一実施形態である流下式の製氷装置を示している。当該製氷装置は、製氷機構部１０と、製氷機構部１０に対して給水し、排水すべく機能する水管路系２０とにより構成されている。
【００２２】
製氷機構部１０は、製氷庫１１内に多数の製氷板１２、散水機構１３、氷受承板１４、クラッシャー１５、および貯留槽１６を備えている。各製氷板１２は、冷却手段を内蔵する製氷部であって、製氷庫１１内の略中央部にて、互いに並列させた起立状態に配設されている。また、各製氷板１２の上方には、各製氷板１２の上端部に近接して散水機構１３が配設され、各製氷板１２の下方には、氷受承板１４が配設されている。
【００２３】
散水機構１３は、散水パイプ１３ａの下側に多数のノズル部１３ｂを有するもので、後述する給水管路２１に接続されている。各ノズル部１３ｂは、製氷板１２の上端部にてその幅方向に沿って延びるパイプ状のもので、ノズル部１３ｂの長手方向に沿って形成されている多数の噴出口を備えている。各ノズル部１３ｂの噴出口は、各製氷板１２の製氷面１２ａ，１２ｂに対向していて、各ノズル部１３ｂは、給水管路２１を通して散水パイプ１３ａに供給される製氷用水または洗浄用水を、噴出口を通して、各製氷板１２の各製氷面１２ａ，１２ｂにおける上端部上に噴出させるべき機能する。噴出された製氷用水または洗浄用水は、各製氷面１２ａ，１２ｂ上を幅方向に均等に拡がった状態で流下して各製氷面１２ａ，１２ｂに下端部に至る。
【００２４】
この場合、当該製氷装置が製氷運転時で、流下する水が製氷用水であるときには、流下する製氷用水の一部が製氷面１２ａ，１２ｂ上で漸次氷結し、未氷結の製氷用水Ｗは氷受承板１４上に落下し、氷受承板１４に傾斜面に沿って流下し、製氷庫１１の底部１１ａのスノコ状部位１１ａ1を通して落下して貯留槽１６内に還流する。製氷運転の製氷工程では、製氷面１２ａ，１２ｂ上への製氷用水の噴射が継続して行われ、製氷面１２ａ，１２ｂの氷は全体的に漸次成長し、所定の形状で所定の厚みの板状に成長した時点で製氷工程を終了させる。
【００２５】
氷受承板１４は、各製氷板１２の下方にて製氷庫１１の底部１１ａと製氷板１２の下端部間に配置されている。当該製氷装置の製氷運転では、製氷工程の終了後に、各製氷板１２の製氷面１２ａ，１２ｂ上にて生成された板状氷を、各製氷板１２を加温することによって離脱し、各製氷板１２から落下させる氷離脱工程に移行する。この氷離脱工程では、各製氷板１２の製氷面１２ａ，１２ｂ上から離脱した各板状氷Ｃは、氷受承板１４に受承され、氷受承板１４の傾斜面上を滑ってクラッシャー１５に導入される。導入された板状氷は、クラッシャー１５にて破砕されてブロック状の氷となって、図示しないシュートを介して貯氷室に供給される。
【００２６】
当該製氷装置を構成する水管路系２０は、給水管路２１と、供給管路２２と、バイパス管路２３と、排水管路２４を備えている。給水管路２１は、貯留槽１６内に収容されている水（製氷用水または洗浄用水）を散水パイプ１３ａに供給すべく機能するもので、貯留槽１６の底部と散水パイプ１３ａに接続されており、その途中には給水ポンプ２１ａが介装されている。供給管路２２は、設定濃度の塩分を含有する塩水である製氷用水、および、真水である洗浄用水を貯留槽１６内に選択的に供給すべく機能するもので、供給管路２２の先端開口部は貯留槽１６の上方に臨んでいる。供給管路２２の途中には開閉弁２２ａが介装されている。開閉弁２２ａは、モータ駆動によって開閉動作するものである。排水管路２４は、貯留槽１６内の水（製氷用水または洗浄用水））を排水すべく機能するもので、その途中には排水ポンプ２４ａが介装されている。
【００２７】
しかして、当該水管路系２０においては、給水管路２１の途中と貯留槽１６間にバイパス管路２３が配設されている。バイパス管路２３は、給水管路２１の途中から貯留槽１６内の底部に臨み、そのノズル部２３ａが貯留槽１６の底部に沿って延びている。バイパス管路２３の途中には、開閉弁２３ｂが介装されている。
【００２８】
開閉弁２３ｂは、モータ駆動によって開閉動作するもので、バイパス管路２３は開閉弁２３ｂが開成されている場合、給水管路２１を通る水の一部を貯留槽１６内に還流させる。還流した水は、ノズル部２３ａに設けた多数の噴出口から貯留槽１６内の底部に沿って噴出する。このため、バイパス管路２３は、給水管路２１の一部を利用して、貯留槽１６内の水の一部を循環すべく機能し、形成される循環流によって、貯留槽１６内の残留水は略均一に撹拌される。
【００２９】
このように構成した当該製氷装置においては、貯留槽１６に製氷用水を収容した状態で製氷運転を行い、かつ、貯留槽１６内の製氷用水を洗浄用水に置換した状態で洗浄運転を行う。製氷用水は、開閉弁２２ａを開成することにより、供給管路２２を通して貯留槽１６内に供給され、また、洗浄用水は、製氷用水を排水して空の状態にある貯留槽１６内に、供給管路２２を通して供給される。製氷運転は、下記の製氷工程および氷離脱工程を１サイクルとしている。なお、製氷用水には、設定濃度に調製されているＮａＣｌ（食塩や岩塩）を主要成分とする無機塩や、無菌処理した海水等の塩水が採用される。
【００３０】
当該製氷装置の製氷運転時の製氷工程は、各製氷板１２の冷却状態を維持し、かつ、バイパス管路２３の開閉弁２３ｂを開成した状態で、給水ポンプ２１ａを駆動することにより開始される。これにより、貯留槽１６内の製氷用水は、給水管路２１を通って散水機構１３の散水パイプ１３ａに供給され、かつ、この給水が継続される。この間、給水管路２１を通る製氷用水の一部は、バイパス管路２３を通って貯留槽１６内に還流され、バイパス管路２３のノズル部２３ａの各噴射口から、貯留槽１６内に底部に沿って噴出される。
【００３１】
これにより、散水機構１３の各ノズル部１３ｂからは製氷用水が、各製氷板１２の各製氷面１２ａ，１２ｂの上端部にて幅方向に万遍なく噴出されて拡がる。噴出された製氷用水は、冷却状態にある各製氷面１２ａ，１２ｂ上を恰もシート状態で流下し、流下する製氷用水はこの間に漸次氷結する。また、未氷結の製氷用水は、各製氷面１２ａ，１２ｂの下端部から氷受承板１３上に落下し、氷受承板１３上の傾斜面を流下して、製氷庫１１の底部１１ａのスノコ部位１１ａ1を通って貯留槽１６の上端開口部に落下する。換言すれば、未氷結の製氷用水は貯留槽１６内に還流し、貯留槽１６内の製氷用水はこの状態で、各製氷板１２に循環供給されることになる。この間、貯留槽１６内の製氷用水の一部は、給水管路２１およびバイパス管路２３を通って循環し、製氷用水の循環流は貯留槽１６内の製氷用水を略均一に撹拌する。
【００３２】
当該製氷装置においては、製氷工程が所定時間経過し、または、製氷用水の消費量が所定量に達した時点で、各製氷板１２の製氷面１２ａ，１２ｂ上には所定形状で所定厚みの板状氷は生成されたものと判定して製氷工程を終了させ、引き続いて氷離脱工程に移行する。氷離脱工程では、各製氷板１２が所定温度に昇温される。
【００３３】
これにより、各製氷面１２ａ，１２ｂ上の板状氷は、製氷面１２ａ，１２ｂとの氷結界面を融解されて製氷面１２ａ，１２ｂから離脱し、氷受承板１４上に落下する。氷受承板１４上に落下した板状氷は、傾斜面に沿って流下して、クラッシャー１５に導入される。導入された板状氷は、クラッシャー１５にて破砕され、多数のブロック状態となって図示しない貯氷庫に供給される。なお、図１に示す符号Ｃは、製氷面１２ａ，１２ｂ上から離脱して落下する板状氷を模式的に示している。
【００３４】
当該製氷装置においては、氷離脱工程が終了した時点では、設定された塩分濃度の製氷用水が供給管路２２を通して貯留槽１６内に供給されて、製氷工程で消費された量の製氷用水が補充される。その後、次の１サイクルの製氷運転が開始される。当該製氷装置においては、１サイクルの製氷運転が複数回繰り返された後、製氷板１２等の洗浄運転に切換えられる。
【００３５】
このように、当該製氷装置の製氷運転では、製氷工程中、貯留槽１６内から各製氷板１２に供給される製氷用水の一部が貯留槽１６内に常時還流する。この還流は、貯留槽１６内の製氷用水の一部が給水管路２１およびバイパス管路２３を通って常時循環する状態を形成し、この循環流によって、貯留槽１６内に残留している製氷用水を略均一に撹拌される。このため、製氷工程中の各製氷板１２には、塩分濃度が局部的に斑のない均一な製氷用水が供給され、塩分濃度の斑に起因する製氷面１２ａ，１２ｂでの氷結状態に局部的な不揃が発生するようなことがない。
【００３６】
また、１サイクルの製氷運転終了時に、製氷用水の残留している貯留槽１６内に、製氷用水の消費量に応じた量の製氷用水を補充して製氷運転を再開した場合には、製氷運転の再開と同時に、貯留槽１６内の製氷用水の一部が給水管路２１およびバイパス管路２３を通って常時循環する循環流が形成され、この循環流によって、貯留槽１６内の製氷用水が略均一に撹拌される。このため、製氷運転の再開時における製氷工程の初期から、略一定の塩分濃度の製氷用水を各製氷板１２に供給することができ、氷結初期の氷の製氷面１２ａ，１２ｂからの剥離が防止され、かつ、氷結状態に対する悪影響が防止される。
【００３７】
当該製氷装置の洗浄運転に先だっては、各製氷板１２の冷却および昇温を絶つとともに、貯留槽１６内に残留している製氷用水を排水して貯留槽１６を空にし、空の貯留槽１６内へ、供給管路２２を通して真水等の洗浄用水を供給する。また、バイパス管路２３の開閉弁２３ａを閉成して、バイパス管路２３を閉鎖する。この状態で、給水管路２１の給水ポンプ２１ａを駆動して、洗浄運転を開始する。
【００３８】
洗浄運転においては、貯留槽１６内の洗浄用水が給水管路２１を通って散水機構１３の散水パイプ１３ａに供給され、各ノズル部１３ｂの各噴射口から各製氷面１２ａ，１２ｂ上の上端部に、幅方向に均等に噴出される。噴出した洗浄用水は、各製氷面１２ａ，１２ｂ上では、恰もシート状態となって流下して、貯留槽１６内に還流する。すなわち、貯留槽１６内の洗浄用水は、各製氷板１２に対して循環して供給され、各製氷面１２ａ，１２ｂ上に付着する塩分等を洗い流すとともに、各ノズル部１３ｂの噴射口の目詰まりを解消する。
【００３９】
ところで、当該製氷装置の洗浄運転では、バイパス管路２３の開閉弁２３ａを閉成してバイパス管路２３を閉鎖した状態で、貯留槽１６内の洗浄用水を各製氷板１２に循環供給することから、循環供給される洗浄用水は、製氷運転時の製氷工程における製氷用水の循環供給量に比較して多くなる。この結果、散水機構１３における各ノズル部１３ｂの噴射口からは、洗浄用水は製氷用水に比較して、勢いよく多量に噴出されることになって、各製氷面１２ａ，１２ｂ上での拡がりが、製氷用水の拡がりに比較して広くなる。
【００４０】
図２は、散水機構１３のノズル部１３ｂから、製氷面１２ａ，１２ｂ上に水を噴出している状態を模式的に示している。当該水の噴出状態では、噴出した水は製氷面１２ａ，１２ｂ上では、拡大した状態（恰も水シートＷの状態）で流下することになる。水が製氷用水である場合には、その拡がりの先端の周縁部には、図３に示すように、塩分が多く付着する領域Ｓが形成される。
【００４１】
一方、水が洗浄用水である場合には、製氷用水に比較して、ノズル部１３ｂの各噴射口からの噴出量が多くかつ噴出の勢いが強いため、洗浄用水の製氷面１２ａ，１２ｂ上での拡がりが大きくなり、塩分が多く付着する領域Ｓを越えて拡がることになる。図３には、洗浄用水の製氷面１２ａ，１２ｂ上での拡がり状態を模式的に示しているが、洗浄用水の拡がりは、塩分が多く付着する領域Ｓを越えた周縁Ｗ1に達する。
【００４２】
このため、当該洗浄運転を継続する間には、各製氷板１２の製氷面１２ａ，１２ｂに付着している塩分はほぼ確実に洗い流されるとともに、各ノズル部１３ｂに多数存在する噴射口の目詰まりは強く噴出する洗浄用水によって解消される。
【図面の簡単な説明】
【００４３】
【図１】本発明に係る製氷装置の一実施形態を示す概略構成図である。
【図２】同製氷装置の製氷工程時に製氷板の製氷面上に製氷用水を噴出している状態のノズル部および製氷板の一部を模式的に示す斜視図である。
【図３】製氷面上に噴出した製氷用水と洗浄用水の拡がり状態を示す製氷板の一部を模式的に示す斜視図である。
【符号の説明】
【００４４】
１０…製氷機構部、１１…製氷庫、１１ａ…底部、１１ａ1…スノコ部位、１２…製氷板、１２ａ，１２ｂ…製氷面、１３…散水機構、１３ａ…散水パイプ、１３ｂ…ノズル部、１４…受承板、１５…クラッシャー、１６…貯留槽、２０…水管路系、２１…給水管路、２１ａ…給水ポンプ、２２…供給管路、２２ａ…開閉弁、２３…バイパス管路、２３ａ…ノズル部、２３ｂ…開閉弁、２４…排水管路、２４ａ…排水ポンプ、Ｃ…板状氷、Ｓ…塩分の付着する周縁部、Ｗ…シート状に流下する水、Ｗ1…洗浄用水の拡がりの周縁。
【図１】
2005345067.tif 000003
【図２】
2005345067.tif 000004
【図３】
2005345067.tif 000005